【事件の表示】
　特許第２９３３８６１号「建材」の請求項１、２に係る特許に対する特許異議の申立てについて、次のとおり決定する。
【結　論】
　訂正を認める。
　特許第２９３３８６１号の請求項１、２に係る特許を維持する。
【理　由】
第１　手続の経緯
　本件特許第２９３３８６１号は、平成７年１１月１日に出願され、平成１１年５月２８日に特許の設定登録がなされ、その後、平成１２年２月１６日に特許異議申立人藤田肇より特許請求の範囲の請求項１及び２に係る発明の特許に対して特許異議の申立がなされ、平成１２年７月３日付で取消理由通知がなされ、平成１２年１２月６日付で特許権者より特許異議意見書が提出され、平成１２年１２月１８日付で取消理由通知がなされ、指定期間内の平成１３年１月２６日付で特許権者より訂正請求書と特許異議意見書が提出された。
　
第２　訂正請求書による訂正事項
　上記訂正請求書は、特許第２９３３８６１号の明細書を請求書に添付した訂正明細書のとおり訂正することを求めることを請求の趣旨とするものであって、訂正の要旨は下記のとおりである。
　　　　　　　　　　　　　　　　　記
１．訂正事項１
　特許請求の範囲の減縮を目的としてその請求項１を、
「粉状焼石膏に、吸着作用及びイオン交換作用により空気の脱臭及び浄化をするための３５メッシュ以下の焼成したゼオライト粒子群を重量比で１０〜３５パーセントで混在させ、更に、添加材として発泡材を加えたものに水を加えて固まらせた心材と、この心材の表面に圧着された通気性あるシート状表皮材とを具備してなるを特徴とする建材。」と訂正する。
２．訂正事項２
　明細書の明りょうでない記載の釈明を目的として、発明の詳細な説明の欄の段落番号【０００４】の記載を、
「【課題を解決するための手段】
　上記課題を解決するため、本願の第１の発明の構成は、粉状焼石膏に、吸着作用及びイオン交換作用により空気の脱臭及び浄化をするための３５メッシュ以下の焼成したゼオライト粒子群を重量比で１０〜３５パーセントで混在させ、更に、添加材として発泡材を加えたものに水を加えて固まらせた心材と、この心材の表面に圧着された通気性あるシート状表皮材とを具備してなるを特徴とする建材である。
　上記第１の発明の構成により、心材の表面に圧着されたシート状表皮材が通気性のあるものであり、このシート状表皮材を通過して通気性ある石膏製心材に達した空気が心材中のゼオライト粒子群の吸着作用及びイオン交換作用により脱臭され、かつ浄化される。」と訂正する。
　
第３　本件訂正発明の認定
　本件訂正発明１及び２は、上記訂正請求書により訂正された特許請求の範囲の請求項１及び２に記載された次のものと認められる。
「【請求項１】粉状焼石膏に、吸着作用及びイオン交換作用により空気の脱臭及び浄化をするための３５メッシュ以下の焼成したゼオライト粒子群を重量比で１０〜３５パーセントで混在させ、更に、添加材として発泡材を加えたものに水を加えて固まらせた心材と、この心材の表面に圧着された通気性あるシート状表皮材とを具備してなるを特徴とする建材。
　【請求項２】前記心材がパネル状であり、前記シート状表皮材が前記心材の両面に圧着されていることを特徴とする請求項１記載の建材。」
　
第４　訂正の適否について
１．訂正事項１について
　訂正事項１は、特許請求の範囲の減縮を目的とするものであって、特許法第１２０条の４第２項ただし書きの要件を満たすものと認められる。
２．訂正事項２について
　訂正事項２は、訂正事項１のように特許請求の範囲を訂正したことによって生じる明細書の記載の不都合を整えるものであるから、明りょうでない記載の釈明を目的とするものであって、特許法第１２０条の４第２項のただし書きの要件を満たすものと認められる。
３．また、訂正事項１及び２は、いずれも願書に添付した明細書又は図面に記載した事項の範囲内であり、また、実質上特許請求の範囲を拡張し、又は変更するものでもないことから、上記訂正は特許法第１２０条の４第３項において準用する同法第１２６条第２項及び第３項の要件を満たすものと認められる。
４．したがって、平成１３年１月２６日付の訂正を認める。
　
第５　特許異議の申立てについて
１．特許異議申立人は、本件特許の出願前に頒布された刊行物である甲第１号証ないし甲第３号証を提出して、本件特許の特許請求の範囲の請求項１及び２に係る発明は、甲第１号証に記載されたものであるから特許法第２９条第１項第３号に該当するか、もしくは、甲第１号証に記載されたものから、当業者が容易に発明できたものであるから特許法第２９条第２項に該当し、特許を受けることができない旨申し立てているが、上記「第４」に記載したように特許請求の範囲は適法に訂正され、特許異議申立人の申し立てに係る請求項１及び２に係る発明は、結果として異なるものとなった。
　そこで、訂正後の請求項１及び２に係る発明（本件訂正発明１及び２）について検討する。
２．刊行物の記載事項の認定
　本件特許の出願前に頒布されたと認められる、異議申立人の提出した甲第１号証ないし甲第３号証の刊行物には各々以下の記載が認められる。
２−１　甲第１号証：特開昭５８−８４１６５号公報
（１）「１．石膏１００重量部に対しゼオライトを少なくとも０．０５重量部含有する発泡石膏鋳型用組成物。
　２．石膏３０〜１００重量部、骨材０〜７０重量部、ゼオライト０．０５〜１０重量部、発泡剤０．１〜１重量部含有する第１項記載の組成物。
　（中略）
　４．ゼオライトがＡ型である第１項または２項記載の組成物。
　５．以下省略」（特許請求の範囲）
（２）「本発明者はゼオライトを石膏スラリーに配合することにより、発泡剤として添加する界面活性剤の気泡力が安定に維持され、かつ石膏スラリーの沈殿が効果的に防止され、・・・成形された石膏鋳型の通気性を改善し・・・本発明を完成した。」（２頁左上欄１行〜８行）
（３）「ゼオライトの粒径は通常２００メッシュ以下、好ましくは３００メッシュ以下」（２頁右上欄１９行〜２０行）　
（４）「本発明は主として鋳造鋳型を対象としてなされたものであるが、石膏ボード等の建築材料をはじめ多くの分野においても幅広く適用できる。」（３頁右下欄４行〜６行）
２−２　甲第２号証：「石膏」関谷道雄著、（株）笠井出版印刷社、昭和３９年３月３０日発行、２６６〜２７０頁
（１）「セッコウボードは・・・セッコウをしん材として紙などで両面を接着被覆した建築用板材と解される。」（２６６頁の５．３．１セッコウボードの項）
（２）「原紙としてセッコウとの接着性にはその構成繊維の湿潤時の電荷が重要な影響を与えるであろうことが想定される。」（２６７頁１４行〜１６行）
（３）「セッコウボードの製造に用いられる低水和セッコウは焼セッコウであり・・」（２６７頁１７行）
（４）「最も重要なことはボード原紙との接着性であって、同じ原紙でも焼セッコウによって接着の程度を異にすることがしばしばある。」（２６８頁１行〜３行）
（５）「図５．２８ではセッコウスラリーを発泡させているが・・・添加剤には発ポウ剤およびアワの安定剤が用いられる。」（２７０頁１行〜３行）
２−３　甲第３号証：「ゼオライトの科学と応用」冨永博夫編、株式会社講談社、１９８７年３月２０日発行、１５７〜１６３頁
（１）「Ａ型・Ｘ型ゼオライトおよびモルデナイトの特異な吸着性は、吸着剤として広く利用されている。」（１５８頁５行〜６行）
（２）「ゼオライト吸着では固定層接触方式が一般的である。・・吸着剤粒度として０．２mm（６０メッシュ）〜４mmが一般的である。ゼオライト結晶は・・１０μm以下の粉末粒子であり、結合剤による造粒成型を行う。」（１５９頁２７行〜１６０頁１行）
（３）「粉末造粒では・・・成型粒子はキルン中、空気流通下で５００〜７００°Ｃに加熱、焼結する。・・・反応造粒法は・・・合成・粒子固化の温度は３００〜４００°Ｃであり・・・高い吸着容量を示す。」（１６０頁５行〜１６１頁１１行）
３．本件訂正発明１について
（１）本件訂正発明１は、従来の石膏ボードは室内の臭いを吸収したり空気を浄化することができないという問題があり（明細書の段落番号０００２、０００３）、その問題点を解決するために特許請求の範囲に記載した構成としたものであって、特に「紛状焼石膏に、吸着作用及びイオン交換作用により空気の脱臭及び浄化をするための３５メッシュ以下の焼成したゼオライト粒子群」を混在させたことと、「心材の表面に圧着された通気性あるシート状表皮材とを具備」したことが相まって、発明の効果の項に記載したように、「建材の心材中のゼオライト粒子群の吸着作用及びイオン交換作用により、空気の脱臭及び浄化を行なうことができる」（明細書の段落番号００１１）という効果を奏するものである。
（２）一方、甲第１号証には、鋳型用組成物に関する発明が記載されており、さらに「石膏ボード等の建築材料をはじめ多くの分野においても幅広く適用できる。」（３頁右下欄４行〜６行）と記載されていることから、本件訂正発明１のような建材にも適用できることが示唆されている。そして、石膏は、水と混合して石膏スラリーとするのであるから粉状であると考えられる。
　また、ゼオライトに関しては、石膏スラリーに配合することにより、発泡剤として添加する界面活性剤の気泡力が安定に維持され、かつ石膏スラリーの沈殿が効果的に防止されることを目的として、２００メッシュ以下のゼオライトを配合することが例示されており、その配合量として、「石膏３０〜１００重量部、骨材０〜７０重量部、ゼオライト０．０５〜１０重量部、発泡剤０．１〜１重量部含有」（請求項２）と記載されていることから、本件発明１のゼオライトの混合割合である１０〜３５％に含まれる割合が記載されていることになる。
　したがって、本件訂正発明１と甲第１号証に記載された発明とは、
「粉状石膏に、３５メッシュ以下のゼオライト粒子群を重量比で１０〜３５パーセントで混在させ、更に、添加材として発泡材を加えたものに水を加えて固まらせたことを特徴とする建材。」
で一致しており、次の点で相違していると認められる。
　相違点１：本件訂正発明１では石膏は、焼石膏を用いているのに対し、甲第１号証に記載された石膏は焼石膏とは記載されていない点、
　相違点２：本件訂正発明１では、ゼオライト粒子群は、「吸着作用及びイオン交換作用により空気の脱臭及び浄化をするための３５メッシュ以下の焼成したゼオライト粒子群」としているのに対し、甲第１号証に記載されたゼオライト粒子群は焼成したものかどうか明確でなく、さらに空気の脱臭や浄化をすることについては何ら記載されていない点、
　相違点３：本件訂正発明１では固まらせた心材の表面に圧着された通気性あるシート状表皮材を具備しているのに対し、甲第１号証に記載されたものは表皮材を具備していない点。
（３）上記相違点について検討する。
　まず、上記相違点２について検討すると、異議申立人の提出した甲第２号証及び甲第３号証には、本件訂正発明１のように、紛状焼石膏に「吸着作用及びイオン交換作用により空気の脱臭及び浄化をするために３５メッシュ以下の焼成したゼオライト粒子群」を混在することは、記載されていない。
　すなわち、甲第２号証には、建材であるセッコウボードにおいて、焼セッコウを用いることが記載されているにとどまり、ゼオライトを混入する旨の記載や示唆は全く認められない。
　また、甲第３号証には、Ａ型・Ｘ型ゼオライトの特異な吸着性は、吸着剤として広く利用され、ゼオライト吸着では固定層接触方式が一般的で、吸着剤粒度として０．２mm（６０メッシュ）〜４mmが一般的である旨の記載は認められるが、紛状焼石膏に３５メッシュ以下の焼成したゼオライト粒子群を混在させて石膏ボードとすることにより、空気の脱臭及び浄化をさせることについては、何ら記載されておらず、また、紛状焼石膏に０．２mm（６０メッシュ）〜４mmのゼオライト粒子群を混在させて石膏ボードとすれば、本件訂正発明１のように、空気の脱臭及び浄化をさせることができるということが、当業者にとって自明の事項とも考えられない。
（４）よって、本件訂正発明１は、他の相違点について検討するまでもなく、甲第１号証ないし甲第３号証に記載されていない構成を有し、そのことによって、明細書記載の特有の作用効果を奏するものであるから、甲第１号証ないし甲第３号証に記載されたものとも、また、甲第１号証ないし甲第３号証に記載されたものから当業者が容易に発明できたものともすることはできず、特許法第２９条第１項第３号や同条第２項に該当するとすることはできない。
４．本件訂正発明２について
　本件訂正発明２は本件訂正発明１をさらに技術的に限定したものであるから、本件訂正発明２は、上記（３）及び（４）に記載した理由と同じ理由で、特許法第２９条第１項第３号や同条第２項に該当するとすることはできない。
５．まとめ
　したがって、特許異議申立ての理由及び証拠によっては本件訂正発明１及び２についての特許を取り消すことはできない。
　また、他に本件訂正発明１及び２についての特許を取り消すべき理由を発見しない。
　
第６　むすび
　以上のように、本件訂正発明１及び２についての特許は拒絶の査定をしなければならない特許出願に対してされたものとは認められない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１３年２月２０日（２００１．２．２０）
【訂正の要旨】
訂正の要旨
１．訂正事項１
　特許請求の範囲の減縮を目的としてその請求項１を、
「粉状焼石膏に、吸着作用及びイオン交換作用により空気の脱臭及び浄化をするための３５メッシュ以下の焼成したゼオライト粒子群を重量比で１０〜３５パーセントで混在させ、更に、添加材として発泡材を加えたものに水を加えて固まらせた心材と、この心材の表面に圧着された通気性あるシート状表皮材とを具備してなるを特徴とする建材。」と訂正する。
２．訂正事項２
　明細書の明りょうでない記載の釈明を目的として、発明の詳細な説明の欄の段落番号【０００４】の記載を、
「【課題を解決するための手段】
　上記課題を解決するため、本願の第１の発明の構成は、粉状焼石膏に、吸着作用及びイオン交換作用により空気の脱臭及び浄化をするための３５メッシュ以下の焼成したゼオライト粒子群を重量比で１０〜３５パーセントで混在させ、更に、添加材として発泡材を加えたものに水を加えて固まらせた心材と、この心材の表面に圧着された通気性あるシート状表皮材とを具備してなるを特徴とする建材である。
　上記第１の発明の構成により、心材の表面に圧着されたシート状表皮材が通気性のあるものであり、このシート状表皮材を通過して通気性ある石膏製心材に達した空気が心材中のゼオライト粒子群の吸着作用及びイオン交換作用により脱臭され、かつ浄化される。」と訂正する。
（５４）【発明の名称】
建材
（５７）【特許請求の範囲】
　【請求項１】　粉状焼石膏に
、吸着作用及びイオン交換作用により空気の脱臭及び浄化をするための
　【請求項２】　前記心材がパネル状であり、前記シート状表皮材が前記心材の両面に圧着されていることを特徴とする請求項１記載の建材。
【発明の詳細な説明】
　【０００１】
　【発明の属する技術分野】
　本発明は、建材に関し、特に臭いを吸収でき空気を浄化することができる建材に関するものである。
　【０００２】
　【従来の技術】
　従来から建材として石膏ボードが使用されている。この石膏ボードは、石膏を心材にして、両面をボード用厚紙で皮膜した板状のものであり、防火性、遮音性がよいものである。このため、石膏ボードは建物の内装材料として壁や天井等に使用されている。
　【０００３】
　【発明が解決しようとする課題】
　しかしながら、上記従来例は、壁や天井の内装材料としては優れているが、室内の臭いを吸収したり空気を浄化したりすることは全くできなかった。
　特に、空気の汚染防止が強く要請されている近年においては、室内の臭いを吸収したり、空気を浄化したりすることは重要なことがらになっている。
　したがって、本願発明の課題は、上述の従来例の欠点をなくし、臭いを吸収でき、空気を浄化することができる建材を提供することである。
　【０００４】
　【課題を解決するための手段】
　上記課題を解決するため、本願の第１の発明の構成は、粉状焼石膏に
、吸着作用及びイオン交換作用により空気の脱臭及び浄化をするための
　上記第１の発明の構成により、心材の表面に圧着されたシート状表皮材が通気性のあるものであり、このシート状表皮材を通過して通気性ある石膏製心材に達した空気が心材中のゼオライト粒子群の吸着作用及びイオン交換作用により脱臭され、かつ浄化される。
　【０００５】
　更に、第２の発明の構成は、上記第１の発明の構成において、前記心材がパネル状であり、前記シート状表皮材が前記心材の両面に圧着されていることである。
　上記第２の発明の構成により、上記第１の発明の構成による作用とともに、前記心材がパネル状であり、前記シート状表皮材が前記心材の両面に圧着されているので、建材の心材の表面積が増加し、建材を壁や天井等の表面を被うように配設可能である。このため、第２の発明に係わる建材により空気の脱臭及び浄化を効率良く行うことができる。
　【０００６】
　【発明の実施の形態】
　図１（ａ）は本願発明の実施の形態の要部を示し、図１（ｂ）は図１（ａ）の変形例を示し、図２（ａ）、（ｂ）は該実施の形態の実際例を示す。
　図１及び図２において、建材は、パネル状であり、心材１０及び心材１０の表面を被うように該表面に固定された表皮材２０からなる。なお、建材はパネル状でなくてもよい。
　図１（ａ）においては、表皮材２０が心材１０の両面（厚さＴ方向に垂直な両表面）１０ａ、１０ｂ及び側面（前記両面に垂直な表面）１０ｃを被っているが、図１（ｂ）においては、表皮材２０が心材１０の前記両面１０ａ、１０ｂのみを被っている。
　【０００７】
　心材１０は、石膏１１を主成分とし、石膏１１中にゼオライト粒子１２群を混在させたものである。ゼオライト粒子１２群の比率（重量比）は、心材１０全体の１０〜３５パーセントであり、ゼオライト粒子１２の径は、３５メッシュ以下である。なお「３５メッシュ」は、約０．５ｍｍの径を意味する。
　ゼオライト粒子１２は、焼成しないものと焼成したものとがある。ゼオライト粒子１２の焼成温度は、約３００℃〜７００℃である。なお、ゼオライト粒子１２の吸着作用及びイオン交換作用は焼成により向上する。
　表皮材２０は、ボード用厚紙、再生紙、布等の通気性あるシート状のものであり、表皮材２０の厚さは約０．３５ｍｍである。表皮材２０は、心材１０の表面に圧着されている。なお、表皮材２０の重なった部分２１は、接着剤による接着部分である。
　【０００８】
　上記建材の製造方法は、次のようになる。
　先ず、粉状焼石膏（プラスター）、ゼオライト粒子１２及び少量の添加材（ガラス繊維、発泡材、接着増強材、凝結調整材等）を混合したものに水を加えて粘性を有するようにした心材１０の原料を形成する。
　次に、上記原料を図示しない所定の大きさのトレーに入れる。このとき、表皮材２０となる厚紙等がトレー内の底面及び必要に応じて側面に沿って配置されている。更に、トレーに入れられた前記原料の表面に前記表皮材を被せる。
　次に、トレーに入れられた前記原料を圧接すると、前記原料が固まる。このとき、前記表皮材２０が心材１０の表面に圧接される。
　【０００９】
　図２（ａ）において、建材の長さＬ１は例えば１８８０ｍｍ、２４００ｍｍ、２７００ｍｍ等であり、建材の幅Ｗ１は例えば９１０ｍｍであり、厚さＴ１は例えば９．５ｍｍ、１２．５ｍｍ、１５ｍｍ、２４ｍｍ等である。
　図２（ｂ）において、建材の長さＬ２は例えば４５５ｍｍであり、建材の幅Ｗ２は例えば図２（ａ）のＷ１と同じであり、建材の厚さＴ２は例えば９ｍｍ、１２ｍｍ等である。
　【００１０】
　以上の構成により、心材１０を被う表皮材２０が通気性あるものであり、この表皮材２０を通過して通気性ある石膏製心材１０に達した空気が心材１０中のゼオライト粒子１２群により脱臭され、かつ浄化される。
　なお、心材１０の石膏１１内には、石膏１１の表面に通じる気孔が多数存在するので、石膏１１は吸水性及び通気性がある。このため、石膏１１の内部に混在するゼオライト粒子１２群の吸着作用及びイオン交換作用により空気の脱臭及び浄化をすることができる。
　更に、心材１０がパネル状であると、建材がパネル状になり、建材の表面積が広くなり、建材を壁や天井等の表面を被うように配設可能である。この場合、建材により空気の脱臭及び浄化を効率良く行うことができる。
　【００１１】
　【発明の効果】
　本願の第１の発明に係わる建材によれば、建材の心材中のゼオライト粒子群の吸着作用及びイオン交換作用により、空気の脱臭及び浄化を行うことができる。
　更に、第２の発明に係わる建材によれば、上記第１の発明による効果とともに、前記心材がパネル状であり、前記シート状表皮材が前記心材の両面に圧着されているので、空気の脱臭及び浄化を効率よく行うことができる。
【図面の簡単な説明】
　【図１】
　本願発明の実施の形態の要部を示す斜視図である。
　【図２】
　前記実施の形態の実際例を示す斜視図である。
　【符号の説明】
　１０　心材
　１１　石膏
　１２　ゼオライト粒子
　２０　表皮材